(57)【要約】【課題】簡単にロック解除が行えると共に、ロック解除の操作によって変形する箇所がほとんどなく、機能の低下を来すことなく、再利用が可能なワイヤーハーネス用プロテクタを提供する。【解決手段】一側縁がヒンジ１３で連結されることで開閉自在とされ、閉じたときにワイヤーハーネスを保護するための筒状体を構成する２つのカバー部材１１、１２よりなるプロテクタ本体１０と、各カバー部材の他側縁にそれぞれ設けられ、カバー部材を閉じたときに互いに入れ違いに相手を通り過ぎた位置で向かい合うフック１４と、互いに向かい合うフック１４に両側縁２０ａを係合させつつスライドさせることにより、カバー部材を閉じた状態に保持するスライド板２０と、スライド板を、カバー部材を閉じた状態に保持する位置にてロックする係合凹部２１および係合ピン１６と、を有する。【選択図】図２
2007195341.tif 000002
【特許請求の範囲】
【請求項１】
一側縁がヒンジで連結されることで開閉自在とされ、閉じたときにワイヤーハーネスを保護するための筒状体を構成する２つのカバー部材よりなるプロテクタ本体と、前記各カバー部材の他側縁にそれぞれ設けられ、該両カバー部材を閉じたときに互いに入れ違いに相手を通り過ぎた位置で向かい合うフックと、前記両カバー部材の互いに向かい合うフックに両側縁を係合させつつスライドさせることにより、該両カバー部材を閉じた状態に保持するスライド板と、該スライド板を、前記両カバー部材を閉じた状態に保持する位置にてロックするロック手段と、を備えることを特徴とするワイヤーハーネス用プロテクタ。
【請求項２】
請求項１に記載のワイヤーハーネス用プロテクタであって、
前記ロック手段が、前記スライド板の先端に設けられた係合凹部と、前記いずれかのカバー部材に突設されて、前記スライド板がロック位置にスライドしてきたときに前記係合凹部の嵌まる係合ピンと、からなることを特徴とするワイヤーハーネス用プロテクタ。
【請求項３】
請求項１又は２に記載のワイヤーハーネス用プロテクタであって、
前記２つのカバー部材は、共に閉じたときに四角筒状のプロテクタ本体を構成する断面Ｌ字形をなしており、各断面Ｌ字形のカバー部材は、前記ヒンジで互いに側縁同士が連結された第１平面板と、該第１平面板から略直角に折れ曲がった第２平面板とを有し、一方のカバー部材の第２平面板の自由端側には、該第２平面板から内側に略直角に折れ曲がった延出板が設けられて、その延出板の先端に外向きに前記フックが設けられ、また、他方のカバー部材の第２平面板には、前記延出板の嵌まる切欠部が設けられると共に、該第２平面板の自由端側の側縁に外向きに前記フックが設けられていることを特徴とするワイヤーハーネス用プロテクタ。
【発明の詳細な説明】
【技術分野】
【０００１】
本発明は、開閉式の筒型のワイヤーハーネス用プロテクタに関するものである。
【背景技術】
【０００２】
自動車においては、ワイヤーハーネスを保護するために各種のプロテクタが使用されているが、その一種として、ワイヤーハーネスの全周を覆う周壁を有した開閉式の筒型のプロテクタが知られている（例えば、特許文献１参照）。
【０００３】
図６は従来のその種のプロテクタの一例を示している。このプロテクタは、一側面が開口部１１２として開放した断面コ字状のプロテクタ本体１１０と、プロテクタ本体１１０の開口部１１２を覆うカバー１２０とから構成されている。プロテクタ本体１１０の一側縁とカバー１２０の一側縁はヒンジ１１３で結合され、各他側縁に設けられたオスロック１２５とメスロック１１５を互いに嵌合させることにより、閉じた筒形を維持するようになっている。
【特許文献１】特開２００３−２３０２１２号公報
【発明の開示】
【発明が解決しようとする課題】
【０００４】
上記従来のプロテクタにおいては、ロックの解除を行う際に、メスロック１１５の間口にマイナスドライバのような板状の工具を差し込み、メスロック１１５の間口を広げた状態で、オスロック１２５を引き抜くことにより、ロックを外しているが、そのようなロック解除を行うと、メスロック１１５が変形して、解除後の再ロック機能が低下するという問題があった。また、複数のロック部がある場合、全てのロックを解除しなくてはカバー１２０が開けられないので、手間と時間がかかるという問題があった。
【０００５】
本発明は、上記事情を考慮し、簡単にロック解除が行えると共に、ロック解除の操作によって変形する箇所がほとんどなく、機能の低下なく再利用が可能なワイヤーハーネス用プロテクタを提供することを目的とする。
【課題を解決するための手段】
【０００６】
請求項１の発明のワイヤーハーネス用プロテクタは、一側縁がヒンジで連結されることで開閉自在とされ、閉じたときにワイヤーハーネスを保護するための筒状体を構成する２つのカバー部材よりなるプロテクタ本体と、前記各カバー部材の他側縁にそれぞれ設けられ、該両カバー部材を閉じたときに互いに入れ違いに相手を通り過ぎた位置で向かい合うフックと、前記両カバー部材の互いに向かい合うフックに両側縁を係合させつつスライドさせることにより、該両カバー部材を閉じた状態に保持するスライド板と、該スライド板を、前記両カバー部材を閉じた状態に保持する位置にてロックするロック手段と、を備えることを特徴とする。
【０００７】
請求項２の発明は、請求項１に記載のワイヤーハーネス用プロテクタであって、前記ロック手段が、前記スライド板の先端に設けられた係合凹部と、前記いずれかのカバー部材に突設されて、前記スライド板がロック位置にスライドしてきたときに前記係合凹部の嵌まる係合ピンと、からなることを特徴とする。
【０００８】
請求項３の発明は、請求項１又は２項に記載のワイヤーハーネス用プロテクタであって、前記２つのカバー部材は、共に閉じたときに四角筒状のプロテクタ本体を構成する断面Ｌ字形をなしており、各断面Ｌ字形のカバー部材は、前記ヒンジで互いに側縁同士が連結された第１平面板と、該第１平面板から略直角に折れ曲がった第２平面板とを有し、一方のカバー部材の第２平面板の自由端側には、該第２平面板から内側に略直角に折れ曲がった延出板が設けられて、その延出板の先端に外向きに前記フックが設けられ、また、他方のカバー部材の第２平面板には、前記延出板の嵌まる切欠部が設けられると共に、該第２平面板の自由端側の側縁に外向きに前記フックが設けられていることを特徴とする。
【０００９】
尚、請求項４の発明は、請求項２に記載のワイヤーハーネス用プロテクタであって、前記スライド板の基端に、前記ワイヤーハーネスをテープで巻き付けるためのテープ巻き付け部が設けられていることを特徴とする。
【発明の効果】
【００１０】
請求項１の発明によれば、プロテクタ本体を構成する２つのカバー部材を閉じ、両カバー部材のフックに両側縁を係合させつつスライド板をスライドさせ、そのスライド板をロック手段によりロックすることによって、プロテクタ本体を閉じた状態にロックしておくことができ、その状態で、中に通したワイヤーハーネスを保護することができる。
【００１１】
また、ロック手段によるロックを解除して、スライド板をフック間から引き抜くと、両カバー部材を拘束するものがなくなるので、プロテクタ本体を開放できる状態にすることができる。この場合のプロテクタ本体の実質的なロック（閉係合）は、フックに係合するスライド板によって行っているので、何回ロック解除や再ロックを繰り返しても、フックやスライド板を変形させる心配がない。従って、ロック機能が落ちるおそれがなく、再利用が可能である。また、ロック手段によるロックを解除してスライド板を引き抜くだけで、プロテクタ本体を開放できるので、特別な工具を使用する必要もなく、開放するための作業が楽であり、時間もかからない。
【００１２】
また、この場合のロック手段は、カバー部材が開く方向の力を受けるものではなく、単にスライド板が動かないようにするためのものであるから、簡易な構成にすることができる。
【００１３】
請求項２の発明によれば、スライド板をロック位置までスライドさせるだけで、係合凹部とピンの嵌合により簡単にスライド板を動かないようにロックすることができ、また、スライド板を逆に動かすだけで、係合凹部とピンの嵌合を解除して、簡単にロックを外すことができる。
【００１４】
請求項３の発明によれば、両カバー部材を閉じた際に、一方のカバー部材に設けた切欠部に、他方のカバー部材に設けた延出板が嵌まることで、全体が四角筒状のプロテクタ本体となる。そしてその状態で、両カバー部材のフックが互いに入れ違いに相手を通り過ぎた位置で向かい合うことになる。つまり、四角形の筒状体の１つの側面の両側縁部にフックが位置して互いに向かい合う。従って、それら向かい合ったフックに両側縁部を係合させつつ、前記１つの側面に沿って平板状のスライド板をスライドさせることにより、プロテクタ本体を閉じ状態でロックすることができる。
【００１５】
尚、請求項４の発明によれば、スライド板にワイヤーハーネスをテープで巻き付けることによって、プロテクタをワイヤーハーネスに固定することができる。また、ワイヤーハーネスを引っ張るだけで、スライド板を解除方向へスライドさせて、プロテクタのロックを解除することができる。
【発明を実施するための最良の形態】
【００１６】
以下、本発明の実施形態を図面を参照しながら説明する。
【００１７】
図１は実施形態のワイヤーハーネス用プロテクタの使用前の展開状態を示す斜視図、図２はプロテクタ本体を構成する両カバー部材を閉じた状態を示す斜視図、図３はフックに両側縁を係合させつつスライド板をスライドさせている状態を示す斜視図、図４はロック位置までスライド板をスライドさせた使用時のロック状態のプロテクタの斜視図、図５はスライド板の一端にワイヤーハーネスをテープ巻きした状態を示す斜視図である。
【００１８】
この実施形態のワイヤーハーネス用プロテクタは、図１に示すように、それぞれ別体の樹脂成形品よりなるプロテクタ本体１０と、プロテクタ本体１０に装着される帯板状のスライド板２０と、から構成されている。
【００１９】
プロテクタ本体１０は、一側縁がヒンジ１３で連結されることで開閉自在とされ、閉じたときにワイヤーハーネス（図示略）を保護するための筒状体を構成する２つのカバー部材１１、１２よりなる。
【００２０】
各カバー部材１１、１２の他側縁（ヒンジ１３で連結した側と反対側の縁部）には、図２に示すように、カバー部材１１、１２を閉じたときに、互いに入れ違いに相手を通り過ぎた位置で向かい合うフック１４が設けられており、各フック１４の凹部１４ａが同一平面内で向かい合うようになっている。
【００２１】
２つのカバー部材１１、１２は、共に、閉じたときに四角筒状のプロテクタ本体１０を構成する断面Ｌ字形をなしており、各断面Ｌ字形のカバー部材１１、１２は、ヒンジ１３で互いに側縁同士が連結された第１平面板１１Ａ、１２Ａと、第１平面板１１Ａ、１２Ａから略直角に折れ曲がった第２平面板１１Ｂ、１２Ｂとを有している。
【００２２】
第２のカバー部材１２の第２平面板１２Ｂの自由端側には、第２平面板１２Ｂから内側に略直角に折れ曲がった延出板１２Ｃが設けられており、その延出板１２Ｃの先端に外向きに前記フック１４が設けられている。また、第１のカバー部材１１の第２平面板１１Ｂには、第２のカバー部材１２の延出板１２Ｃの嵌まる切欠部１１Ｃが設けられると共に、その第２平面板１２Ｂの自由端側の側縁に、外向きに前記フック１４が設けられている。
【００２３】
また、帯板状のスライド板２０は、図３、図４に示すように、両カバー部材１１、１２の互いに向かい合うフック１４の凹部１４ａに両側縁２０ａを係合させつつ、スライドさせることにより、カバー部材１１、１２を閉じた状態に保持するものであり、スライド板２０の先端と第１のカバー部材１１の第２平面板１１Ｂの各先端には、カバー部材１１、１２を閉じた状態に保持する位置にてロックするロック手段として、係合凹部２１と係合ピン１６とが設けられている。係合凹部２１と係合ピン１６は、スライド板２０が予め定めたロック位置までスライドしてきたときに互いに嵌まるようになっている。
【００２４】
なお、係合凹部２１の入口２１ａは、係合ピン１６の径よりやや狭くなっており、入口２１ａの両側が弾性変形することにより、係合ピン１６が係合凹部２１に対して出入りする。
【００２５】
また、スライド板２０の基端部には、図５に示すように、ワイヤーハーネスＷをテープＴで巻き付けるためのテープ巻き付け部２２が設けられている。なお、端部の突起２２ａは、テープＴのずれ防止用に設けてある。
【００２６】
上記構成のプロテクタを使用する場合には、次の手順で組み立てる。
【００２７】
まず、図２に示すように、図示略のワイヤーハーネスを内部に収容した状態で、プロテクタ本体１０を構成する２つのカバー部材１１、１２を閉じる。このように両カバー部材１１、１２を閉じた際、第１のカバー部材１１に設けた切欠部１１Ｃに第２のカバー部材１２に設けた延出板１２Ｃが嵌まることで、全体が四角筒状のプロテクタ本体１０となる。そしてその状態で、両カバー部材１１、１２のフック１４が、互いに入れ違いに相手を通り過ぎた位置で向かい合うことになる。つまり、四角形の筒状体の１つの側面の両側縁部にフック１４が位置して互いに向かい合うことになる。
【００２８】
次いで、図３、図４に示すように、両カバー部材１１、１２のフック１４に両側縁２０ａを係合させつつ、スライド板２０を予め定められたロック位置までスライドさせる。そうすると、スライド板２０の先端の係合凹部２１がプロテクタ本体１０側の係合ピン１６に嵌まることによって、スライド板２０がロックされ、それによりスライド板２０によってプロテクタ本体１０が閉じた状態に保持される。従ってその状態で、中に通したワイヤーハーネスを保護することができる。
【００２９】
また、プロテクタのロックを解除する場合は、スライド板２０をロック解除方向（ロックするためにスライド板２０をスライドさせた方向と反対方向）に引き抜く。そうすると、両カバー部材１１、１２を拘束するものがなくなるので、プロテクタ本体１０を自由に開放できる状態にすることができる。
【００３０】
この場合のプロテクタ本体１０の実質的なロック（閉係合）は、フック１４に係合するスライド板２０によって行っているので、何回ロック解除や再ロックを繰り返しても、フック１４やスライド板２０を変形させる心配がない。従って、実質的なロック機能が低下するおそれはなく、何回もの再利用が可能である。
【００３１】
また、スライド板２０をロック位置までスライドさせるだけで、係合凹部２１と係合ピン１６の嵌合によりスライド板２０を動かないようにロックすることができ、一方、スライド板２０を逆にスライドさせて引き抜くだけで、係合凹部２１と係合ピン１６の嵌合を解除してロックを外すことができるので、ロックおよびその解除操作が簡単にできる。特にロックを外す場合は、特別な工具を使用することなく、スライド板２０を動かすだけでよいので、作業が楽である上、時間もかからない。
【００３２】
また、この場合のロック手段は、カバー部材１１、１２が開く方向の力を受けるものではなく、単にスライド板２０が動かないようにするためのものであるから、係合凹部２１と係合ピン１６のような簡易な構成にすることができ、コスト上昇も抑えられる。
【００３３】
また、図５に示すように、スライド板２０の基端に設けたテープ巻き付け部２２にワイヤーハーネスＷをテープＴで巻き付けた場合は、ワイヤーハーネスＷを引っ張るだけで、スライド板２０を解除方向へスライドさせて、プロテクタのロックを解除することができる。
【図面の簡単な説明】
【００３４】
【図１】本発明の実施形態のワイヤーハーネス用プロテクタの使用前の展開状態を示す斜視図である。
【図２】同プロテクタにおいて、プロテクタ本体を構成する両カバー部材を閉じた状態を示す斜視図である。
【図３】同プロテクタにおいて、フックに両側縁を係合させつつスライド板をスライドさせている状態を示す斜視図である。
【図４】同プロテクタにおいて、ロック位置までスライド板をスライドさせた使用時の状態を示す斜視図である。
【図５】前記スライド板の一端にワイヤーハーネスをテープ巻きした状態を示す斜視図である。
【図６】従来のワイヤーハーネス用プロテクタの一例を示す斜視図である。
【符号の説明】
【００３５】
１０  プロテクタ本体
１１  第１のカバー部材
１１Ａ  第１平面板
１１Ｂ  第２平面板
１１Ｃ  切欠部
１２  第２のカバー部材
１２Ａ  第１平面板
１２Ｂ  第２平面板
１２Ｃ  延出壁
１３  ヒンジ
１４  フック
１６  係合ピン
２０  スライド板
２１  係合凹部
２２  テープ巻き付け部
Ｗ  ワイヤーハーネス
Ｔ  テープ
【図１】
2007195341.tif 000003
【図２】
2007195341.tif 000004
【図３】
2007195341.tif 000005
【図４】
2007195341.tif 000006
【図５】
2007195341.tif 000007
【図６】
2007195341.tif 000008